(57)【要約】【課題】複数の冷陰極発光体を直線状に並べて長寸法の照明装置を製造する際に、発光斑を生じることを防止し、全体的に均一に発光させることができる照明装置を提供すること。【解決手段】発光する発光部Ｅと、発光部Ｅの両端部に設けられた非発光の端子部７ｂと、を有する略線状をなす冷陰極発光体７を用いた照明装置であって、少なくとも２本の冷陰極発光体７が連続的な略線状をなすように配置され、各冷陰極発光体７には、互いに近接される各端子部７ｂ近傍の部位の発光部Ｅが屈曲されて屈曲部７ｄが形成され、この屈曲部７ｄ同士が近接して配置される。【選択図】図２
2011238356.tif 000002
【特許請求の範囲】
【請求項１】
発光する発光部と、該発光部の両端部に設けられた非発光の端子部と、を有する略線状をなす冷陰極発光体を用いた照明装置であって、
少なくとも２本の冷陰極発光体が連続的な略線状をなすように配置され、該各冷陰極発光体には、互いに近接される各端子部近傍の部位の前記発光部が屈曲されて屈曲部が形成され、該屈曲部同士が近接して配置されることを特徴とする照明装置。
【請求項２】
前記屈曲部の内角は、略９０度以下の角度となっていることを特徴とする請求項１に記載の照明装置。
【請求項３】
前記冷陰極発光体の発光を外部に向かって反射させる反射面が前記冷陰極発光体の長手方向に沿って設けられ、前記発光部の端子部近傍が前記反射面に向かって延びることを特徴とする請求項１または２に記載の照明装置。
【請求項４】
複数の冷陰極発光体の前記屈曲部近傍の端子部が略同一方向を向き、該端子部同士が結線部により結線されることを特徴とする請求項１ないし３のいずれかに記載の照明装置。
【請求項５】
前記端子部及び前記結線部が絶縁性を有する保持体により被覆されることを特徴とする請求項４に記載の照明装置。
【請求項６】
前記冷陰極発光体は、中空の管状をなす管本体の内部に配置され、該管本体の内部空間を仕切る仕切板が該管本体の長手方向に延設されており、該仕切板には、前記端子部が挿通される貫通孔が形成されており、該貫通孔に、前記屈曲部近傍が保持されることを特徴とする請求項１ないし５のいずれかに記載の照明装置。
【発明の詳細な説明】
【技術分野】
【０００１】
本発明は、照明装置に関し、特に冷陰極発光体を採用した照明装置に関する。
【背景技術】
【０００２】
従来の照明装置としては、一般的には、主にガス放電により発光する蛍光ランプ管が多く採用されていたが、近年では、発光効率が高くかつ使用寿命が長い冷陰極蛍光ランプ（冷陰極発光体）を用いた照明装置が採用されるようになりつつある。このような冷陰極蛍光ランプでは、線状をなす発光部の両端に電極（端子部）を備えている（例えば、特許文献１参照）。
【０００３】
また、発光効率が高くかつ使用寿命が長い冷陰極蛍光管（冷陰極発光体）を利用して、恰も従来の蛍光ランプ管と同様な使用形態で利用でき、広い領域を照明できる照明装置がある（例えば、特許文献２及び３参照）。このような照明装置では、非発光の部位である冷陰極蛍光管の電極（端子部）が口金等により隠蔽されている。
【先行技術文献】
【特許文献】
【０００４】
【特許文献１】特開平９−１４７８０２号公報（第３頁、第１図）
【特許文献２】特開２００８−２１０８０４号公報（第５頁、第２図）
【特許文献３】特開２００９−１４６６２２号公報（第５頁、第１図）
【発明の概要】
【発明が解決しようとする課題】
【０００５】
特許文献１〜３に記載の照明装置において、長寸法の照明装置を必要とする需要者の要望があり、この要望に答えるために、複数本の冷陰極発光体を連続的な略線状に並べた長寸法の照明装置が開発されるようになっている。しかしながら、複数本の冷陰極発光体を線状に並べると、隣り合う冷陰極発光体の端子部同士が近接された部位が暗くなり、発光斑が生じてしまうという問題がある。
【０００６】
本発明は、このような問題点に着目してなされたもので、複数の冷陰極発光体を連続的な略線状になるように配置して長寸法の照明装置を製造する際に、発光斑を生じることを防止し、全体的に均一に発光させることができる照明装置を提供することを目的とする。
【課題を解決するための手段】
【０００７】
前記課題を解決するために、本発明の照明装置は、
発光する発光部と、該発光部の両端部に設けられた非発光の端子部と、を有する略線状をなす冷陰極発光体を用いた照明装置であって、
少なくとも２本の冷陰極発光体が連続的な略線状をなすように配置され、該各冷陰極発光体には、互いに近接される各端子部近傍の部位の前記発光部が屈曲されて屈曲部が形成され、該屈曲部同士が近接して配置されることを特徴としている。
この特徴によれば、少なくとも２本の冷陰極発光体を連続的な略線状をなすように配置して長寸法の照明装置を製造する際に、各冷陰極発光体の発光する屈曲部同士が近接され、発光斑を生じることを防止し、恰も１本の長寸法の冷陰極発光体の発光部に見えるように全体的に均一に発光させることができる。
【０００８】
本発明の照明装置は、
前記屈曲部の内角は、略９０度以下の角度となっていることを特徴としている。
この特徴によれば、冷陰極発光体同士を近接させる際に、一方の冷陰極発光体の屈曲部を、他方の冷陰極発光体の屈曲部に向かって近接させることができ、恰も１本の長寸法の冷陰極発光体の発光部に見えるようになる。
【０００９】
本発明の照明装置は、
前記冷陰極発光体の発光を外部に向かって反射させる反射面が前記冷陰極発光体の長手方向に沿って設けられ、前記発光部の端子部近傍が前記反射面に向かって延びることを特徴としている。
この特徴によれば、反射面に向かって延びる発光部の所定部位の周囲に反射面が配置されるようになり、当該所定部位から発せられた光が反射面により外部に向かって反射されるため、当該所定部位の発光と前記屈曲部の発光とが合わさることで、反射面で反射される光度を向上させることができる。
【００１０】
本発明の照明装置は、
複数の冷陰極発光体の前記屈曲部近傍の端子部が略同一方向を向き、該端子部同士が結線部により結線されることを特徴としている。
この特徴によれば、非発光の部位である端子部が屈曲部により隠蔽されて見え難くなり照明装置の見栄えが向上するばかりか、端子部同士が結線部により結線されて互いに離間不能に固定されるため、冷陰極発光体同士が互いに固定され、冷陰極発光体のぐらつきが防止される。
【００１１】
本発明の照明装置は、
前記端子部及び前記結線部が絶縁性を有する保持体により被覆されることを特徴としている。
この特徴によれば、端子部及び結線部が他の部材に接触されないようにして、冷陰極発光体の回路の短絡を防止できるばかりか、端子部同士が保持体により互いに離間不能に固定され、冷陰極発光体のぐらつきが防止される。
【００１２】
本発明の照明装置は、
前記冷陰極発光体は、中空の管状をなす管本体の内部に配置され、該管本体の内部空間を仕切る仕切板が該管本体の長手方向に延設されており、該仕切板には、前記端子部が挿通される貫通孔が形成されており、該貫通孔に、前記屈曲部近傍が保持されることを特徴としている。
この特徴によれば、貫通孔に挿通された端子部が仕切板により隠蔽されるとともに、冷陰極発光体の屈曲部近傍が貫通孔に保持され、冷陰極発光体のぐらつきが防止される。
【図面の簡単な説明】
【００１３】
【図１】実施例１における照明装置を示す斜視図である。
【図２】照明装置を示す分解斜視図である。
【図３】照明装置を示す横断底面図である。
【図４】照明装置を示す図１におけるＡ−Ａ断面図である。
【図５】冷陰極発光体の結線部と保持体を示す分解斜視図である。
【図６】筒状体の仕切体と光反射部材と冷陰極発光体を示す分解斜視図である。
【図７】発光部が折り曲げられた冷陰極発光体を示す側面図である。
【図８】照明装置に用いられる発光体保持片を示す斜視図である。
【図９】発光体保持片を示す正面図である。
【図１０】照明装置の電気回路を示す概念図である。
【図１１】実施例２における冷陰極発光体の結線部を示す分解斜視図である。
【図１２】冷陰極発光体の結線部を示す縦断側面図である。
【図１３】実施例３における冷陰極発光体の結線部を示す分解斜視図である。
【図１４】照明装置の電気回路を示す概念図である。
【発明を実施するための形態】
【００１４】
本発明に係る照明装置を実施するための形態を実施例に基づいて以下に説明する。
【実施例１】
【００１５】
実施例１に係る照明装置につき、図１から図１０を参照して説明する。図１の符号３は、本発明の適用された照明装置である。照明装置３は、一般の直線状の蛍光ランプ管の使用方法と同様に、既存の蛍光ランプ管の灯具に設けられる２つのソケットの間に取り付けて適用され、照明装置３を蛍光ランプ管の代わりに利用できるようになっている。
【００１６】
図１及び図２に示すように、照明装置３は、直線的な中空の管状をなす管本体４を有し、この管本体４の内部には、略直線状をなす４本の冷陰極発光体７（Cold Cathode Fluorescent Lamp，略称ＣＣＦＬ）が配置されるとともに、主にインバータとＰＦＣからなる制御装置である導電ユニット５が固定されている。
【００１７】
図２に示すように、管本体４は、その下部に配置される断面略Ｕ字状の光透過部材９と、その上部に配置される放熱性の高い材料で構成される筒状体１０と、により構成されている。また、筒状体１０の底面板部が管本体４の内部を上下方向に仕切る仕切体１８となっている。
【００１８】
また、筒状体１０の内部には、インバータを含む制御装置である導電ユニット５がケース体５５に収納された状態で仕切体１８の両端部にそれぞれ内装固定されている。このケース体５５は、利用者等が容易に導電ユニット５に触れられないように遮蔽機能を有している。尚、筒状体１０の内部空間は、この導電ユニット５の他に後述する配線も通される収納部６１となっている。
【００１９】
図７に示すように、冷陰極発光体７は、その両端部に設けられた非発光の端子部７ｂを有しており、この端子部７ｂの先端には、リード線７ｃが突出される。そして、端子部７ｂ近傍の部位が上方に向けて折り曲げられて屈曲部７ｄが形成され、この屈曲部７ｄと長手の直線部７ａと短手の直線部７ｅとで、発光する発光部Ｅが構成されており、この発光部Ｅが全体として略Ｌ字状をなしている。尚、発光部Ｅにおける屈曲部７ｄの内角θは、略９０度以下（直角以下）の角度となっている。
【００２０】
図２に示すように、管本体４の光透過部材９は、断面視で略Ｕ字状をなしており、主として合成樹脂からなる半透明の本発明における透過部としての光透過部材９から構成されている。この光透過部材９と筒状体１０の仕切体１８とで囲まれる空間は、冷陰極発光体７が配置される照明部６２となっている。
【００２１】
図２に示すように、仕切体１８の下面側、即ち冷陰極発光体７の長手方向に延設された直線部７ａの上方には、光透過部材９に向けて冷陰極発光体７の光を反射する本発明における反射面としての光反射部材３０が設けられる。この光反射部材３０は、冷陰極発光体７に沿って設けられ、光反射部材３０の内側端部には、半楕円形状に切り欠かれた２つの半楕円部３０ａが形成されている。
【００２２】
光透過部材９は、放熱性の高い材料、例えばアルミ素材等で構成され、抜き出し成型により製造される断面非円形の長尺材を用いて形成されており、その断面が略Ｕ字状をなし、このＵ字状の両上端部に内向きの爪部１６を有する。光透過部材９は、抜き出し成型により製造される長尺材を所定の長さで切断して形成される。
【００２３】
また、光透過部材９は、透明もしくは乳白色の透光性の合成樹脂が主に用いられるが、種々のカラーが適用されることもある。光透過部材９は冷陰極発光体７からの光を散乱させるために、光透過部材９の内側面は、凹凸状の光散乱面（図示略）に加工されている。尚、筒状体１０の底面板が仕切体１８としての機能を有している。更に、筒状体１０には、端縁封止体８の係止爪１３を係止する係止溝６が形成されている。
【００２４】
このように管本体４の上部が筒状体１０となっているために強度が高く、照明装置３の取り付け時などに生じる管本体４に働く捻り力に対して、筒状体１０が変形を抑制し、効果的に管本体４のねじり変形を防止するように働く。また、導電ユニット５から発生する熱は、放熱性の高い材料で構成された導電ユニット５を取り囲む筒状体１０により効果的に放熱されることになる。
【００２５】
次に、冷陰極発光体７と保持体６３の組み付けについて図５及び図６を参照して説明する。図５に示すように、略Ｌ字状に折り曲げられた２本の冷陰極発光体７が平行に配置され、上方を向く端子部７ｂから延びるリード線７ｃが接続部材６４によって結線されて結線部６５が構成される（図４参照）。更に、この平行の２本の冷陰極発光体７の端子部７ｂと、他の平行の２本の冷陰極発光体７の端子部７ｂと、が隣り合うように配置される。
【００２６】
尚、端子部７ｂ同士が結線部６５により結線されることで、端子部７ｂ同士が結線部６５により結線されて互いに固定されるため、冷陰極発光体７の軸方向の回転が阻止され、冷陰極発光体７のぐらつきが防止される。
【００２７】
また、接続部材６４は、両端部に孔部６４ａが形成されており、この各孔部６４ａにリード線７ｃが挿通され、はんだ付けにより接合されることで２本の冷陰極発光体７は電気的に接続される。更に、他方の各端子部７ｂから延びるリード線７ｃは、筒状体１０内、即ち収納部６１に設置される導電ユニット５にそれぞれ接続されている。
【００２８】
そして、結線部６５には、その上方から弾性を有するとともに絶縁性を有する合成樹脂またはゴム等の材質で形成された保持体６３が被せられている。この保持体６３の内部は、両端部に冷陰極発光体７のリード線７ｃと端子部７ｂと直線部７ｅの一部が嵌合される形状をなす嵌合保持部６３ｂが形成されている。尚、保持体６３の中央部は薄く形成され、冷陰極発光体７及び接続部材６４を保持体６３の内側に隙間なく密着させて保持できるようになっている（図４参照）。
【００２９】
このように、２本の冷陰極発光体７の端子部７ｂを保持体６３に嵌合させることで、保持体６３は絶縁材のためリード線７ｃの結線部６５の電気的接続を保護することができるとともに、冷陰極発光体７の互いの位置関係を固定して発光体ユニット６６としてユニット化することができる。
【００３０】
図６に示すように、筒状体１０の仕切体１８には、その中央部に保持体６３の横断平面形状と略同形状の２つの貫通孔１８ａが近接して配置されている。これらの貫通孔１８ａの内形は、保持体６３の外形よりも若干小さく形成されている。
【００３１】
冷陰極発光体７を管本体４内に設置する際には、２本の冷陰極発光体７を有する発光体ユニット６６を２つ設け、各発光体ユニット６６における上方を向く端子部７ｂを仕切体１８の貫通孔１８ａに挿通する。仕切体１８に貫通孔１８ａが予め形成されることで、管本体４内における冷陰極発光体７を容易に位置決めできる。
【００３２】
保持体６３は弾力性を有し、貫通孔１８ａの内形は、保持体６３の外形よりも若干小さいため、保持体６３を貫通孔１８ａにねじ込むことで、仕切体１８から保持体６３に圧力が加わり、保持体６３が仕切体１８の貫通孔１８ａの内側面に締め付けられることで固定されるようになっている。
【００３３】
尚、保持体６３の両端の下部には、外方に突出するストッパー６３ａが形成されており、保持体６３を貫通孔１８ａに挿通する際に、保持体６３はストッパー６３ａが仕切体１８に当接するようになっており、このストッパー６３ａによって仕切体１８に対する保持体６３の上下方向の位置決めが可能になっている（図４参照）。
【００３４】
更に尚、屈曲部７ｄは、端子部７ｂ近傍の発光部Ｅを折り曲げて形成されており、端子部７ｂに被せられた保持体６３の下方には、上下方向を向く直線部７ｅが露出するようになっている。そのため冷陰極発光体７を管本体４に取り付けた際に、屈曲部７ｄから水平方向に延設された直線部７ａは、照明部６２内で仕切体１８から離れた位置で保持される（図４参照）。
【００３５】
図６に示すように、４本の冷陰極発光体７の各端子部７ｂは、仕切体１８の貫通孔１８ａに下方から挿通されて保持体６３によって固定されている。そして、各端子部７ｂは、筒状体１０の仕切体１８の上方、即ち収納部６１に配置されるため、非発光の端子部７ｂが照明部６２から離間させた位置に設けられ、照明部６２には、直線部７ｅの一部と屈曲部７ｄと直線部７ａとが配置されるようになる。
【００３６】
このように、２つの発光体ユニット６６の保持体６３を近接して配置することで、同一直線上に並ぶ２本の冷陰極発光体７の屈曲部７ｄ同士、即ち発光部Ｅ同士が近接されるようになり、発光斑を生じることを防止し、恰も１本の長寸法の冷陰極発光体７の発光部Ｅに見えるように全体的に均一に発光させることができる。
【００３７】
また、筒状体１０には、管本体４の内側を向くように長手方向の溝１５が形成されており（図４参照）、光反射部材３０は、筒状体１０の両側から溝１５に嵌合されて設置される。そして、２つの光反射部材３０の端部が管本体４の中央部で当接するとともに、端部に形成された半楕円部３０ａには、冷陰極発光体７の直線部７ｅが配置され、光反射部材３０の反射面に、発光部Ｅの端子部７ｂ近傍の直線部７ｅが直交された状態で配置される。
【００３８】
そのため、冷陰極発光体７の直線部７ｅと光反射部材３０の半楕円部３０ａとの間に、隙間がほとんどない状態となり、（図３参照）、冷陰極発光体７の光を光透過部材９に向けて一様に反射させることができる。尚、冷陰極発光体７の直線部７ａの支持には、透明な合成樹脂等の材質で形成された発光体保持片２３が用いられる。
【００３９】
図８及び図９に示すように、発光体保持片２３は、筒状体１０に形成された長手方向の溝１５に嵌合可能な保持部２３１と、冷陰極発光体７を長手方向に向けて把持する把持部２３２と、から構成されている。また、この発光体保持片２３は、保持部２３１と把持部２３２とを連結する吊架部２３４を有し、吊架部２３４が屈伸可能になっている。
【００４０】
この発光体保持片２３は、照明部６２内を延びる冷陰極発光体７を支持し、移動時や大きな揺れに対しても照明部６２内の冷陰極発光体７を保護するようになっている。特に、照明部６２の長手方向に延びる溝１５により発光体保持片２３が支持されるため（図４参照）、溝１５の長手方向の所定位置に発光体保持片２３の設置位置を自在に変更できるようになり、筒状体１０や冷陰極発光体７の長さ条件等に応じて対処が可能となる。
【００４１】
発光体保持片２３の取り付けに際しては、吊架部２３４の屈曲と伸長とによりワンタッチで長手方向の溝１５に保持部２３１を嵌合できるばかりか、発光体保持片２３を長手方向に容易に移動できることになる。また、吊架部２３４の屈曲により長手方向の溝１５から保持部２３１を容易に外すこともできる。
【００４２】
また、図４に示すように、冷陰極発光体７の光を反射する光反射部材３０は、溝１５内において発光体保持片２３の保持部２３１により共に嵌合し、光反射部材３０は筒状体１０に確実に取り付けられている。
【００４３】
したがって発光体保持片２３を筒状体１０から取り除くと、光反射部材３０の係止が緩くなり筒状体１０から光反射部材３０が取り外しやすくなる。ただし、この実施例に限らず光反射部材３０は筒状体１０に接着剤で固定されても良いし、また筒状体１０に塗布されて構成されても良い。
【００４４】
また、筒状体１０の側部には、長手方向に走る溝１４が設けられ、この溝１４は光透過部材９の断面略Ｕ字状の両上端部に内向きに延びている爪部１６と係合可能となっている。尚、筒状体１０の溝１４に対して、光透過部材９の爪部１６を長手方向から嵌合することにより、筒状体１０と光透過部材９とが連結される（図１及び図４参照）。
【００４５】
このように溝方向においてのみ両者の相対移動が許容されるため、筒状体１０と光透過部材９は、上下方向に分離し難い構造でありながら、照明装置のメンテナンス時など、両者の長手方向の相対移動で光透過部材９内にアクセスが可能となり、特に光透過部材９内に侵入した虫などの掃除が容易となる。
【００４６】
図２に示すように、筒状体１０の両端に取り付けられる端縁封止体８には、端縁封止体８の横断面形状より小さい横断面形状の頭部１１が設けられている。両頭部１１は同一形状の円筒状凸部であって、端縁封止体８の一部となるように一体に形成されている。このように頭部１１が端縁封止体に一体に形成されているため、管本体４の灯具取り付け時や使用時において、頭部１１にかかる負荷に対する強度を向上できることになる。
【００４７】
また、端縁封止体８は、これを貫通するように２本の電極５２が設けられ、２本の電極５２の頭部１１により外側に突出する部分は、既存の蛍光ランプ管用ソケット（図示略）に挿入される。また、２本の電極５２の内側に延びる部分は、後述するように集中端子１９に接続され、導電ユニット５に接続されることになる。
【００４８】
更に、端縁封止体８の裏面側には、裏面側に延びる係止爪１３が設けられており、筒状体１０の側面に形成されている係止溝６に、この係止爪１３が圧入係止されることにより、端縁封止体８がワンタッチで筒状体１０の両端に取り付けられることになる。
【００４９】
即ち、長手方向両端を端縁封止体８で固定するのみで、筒状体１０と光透過部材９との溝方向の両者の相対移動を阻止し、図１に示される強固な照明装置を構成できる。また、端縁封止体８には、前述した２本の電極５２が設けられているため、組み付けと同時に電極を備えた管本体４が得られることになる。
【００５０】
さらに、端縁封止体８の下方部には、端縁封止体８を管本体４に取り付けた際に、光透過部材９の端部下方部分を外側から覆うカバー部１２が延設されている。したがって、照明装置３の端部に衝撃があっても、このカバー部１２により、光透過部材９の端部への直接的な衝撃が回避され、光透過部材９の破損を防止できる。
【００５１】
また、端縁封止体８を貫通する２本の電極５２は、インバータを含む制御装置である導電ユニット５が内装された筒状の管本体４の内部に臨むように延設されているため、２本の電極５２と導電ユニット５との接続が容易に行える。
【００５２】
さらには、端縁封止体８は断面非円形の筒状体１０に係合爪１３等により回転不可能に固定されている。また、筒状体は管本体４のねじり変形を防止するように働くため、管本体４の灯具への取り付け時において、端縁封止体８に設けられた頭部１１に掛かる負荷は、筒状体１０で受け止められることになり、頭部１１の破損を防止することになる。
【００５３】
図１０に示すように、一方の発光体ユニット６６の回路構成について説明すると、電気的に接続される２本の冷陰極発光体７は導電ユニット５を介して導線２４，２５に接続され、電気的に直列接続を構成している。また、他方の発光体ユニット６６も同様に電気的に直列接続を構成している。そして双方の発光体ユニット６６同士は並列に接続されている。
【００５４】
このように、本実施例における長寸法の照明装置３は、同一構成の２つの発光体ユニット６６を組み合わせて作製できるため、４本の冷陰極発光体７は、全て同一のものを用いることができるとともに、発光体ユニット６６の数だけ同じ容量のインバータを設ければよく、長寸法の照明装置３と短寸法の照明装置（図示略）との製造ラインを共通化して製造コストを低減できる。
【００５５】
尚、図３に示すように、導電ユニット５を筒状体１０の両端部に配置できるので取り付け易くなっている。また、発光体ユニット６６を左右に設ける左右対称の構成にして冷陰極発光体７及び導電ユニット５をバランスよく配置することができるとともに、インバータが発生する熱により管本体４の両端部で温度差、即ち温度傾斜を生じることがない。
【００５６】
更に、導電ユニット５は筒状体１０の収納部６１に配置されるため照明部６２を占有することがなく、冷陰極発光体７を管本体４の両端部まで延設できることになり、従来の蛍光ランプ管と同様に管本体の端部付近まで照明部として利用できることになる。
【００５７】
また、図４に示すように、収納部６１には、冷陰極発光体７の端子部７ｂが配置されているが、端子部７ｂに被せられた保持体６３は絶縁性を有するため、収納部６１に配線が通っていても、結線部６５は保持体６３によって保護され、電気的な影響を受けないようになり、冷陰極発光体７の回路構成の短絡等を防止できる。
【実施例２】
【００５８】
次に、実施例２に係る照明装置につき、図１１及び図１２を参照して説明する。尚、前記実施例１に示される構成部分と同一構成部分に付いては同一符号を付して重複する説明を省略する。
【００５９】
図１１に示すように、２つの光反射部材３０’の間には、上面に２つの楕円孔６７ａを有し、かつ側面視でＴ字状をなすＴ字反射部材６７が設けられている。各楕円孔６７ａには、それぞれ保持体６８が挿通される。このＴ字反射部材６７は、楕円孔６７ａの間から下方に板状に延びる突出部６７ｂが形成されている。
【００６０】
また、保持体６８の下端周縁部に形成されたフランジ部６８ａが、Ｔ字反射部材６７の楕円孔６７ａの周縁に当接して、Ｔ字反射部材６７に対する保持体６８の位置決めがなされる。尚、Ｔ字反射部材６７と保持体６８とを接着剤等で接着することもできる。
【００６１】
そして、前記実施例１と同様に、端子部７ｂ近傍の発光部Ｅが上方に向けて略Ｌ字状に折り曲げられた２本の冷陰極発光体７が平行に配置され、端子部７ｂから延びるリード線７ｃが接続部材６４によって結線される。このように結線された２本の冷陰極発光体７が、各端子部７ｂが対向するように直列に２つ設けられ、各端子部７ｂが保持体６８にそれぞれ嵌合され、冷陰極発光体７が保持体６８によって保持される。
【００６２】
図１２に示すように、Ｔ字反射部材６７と組み合わされた保持体６８とともに冷陰極発光体７における上方を向く端子部７ｂを仕切体１８の貫通孔１８ａに下方から挿通することで、保持体６８が仕切体１８の貫通孔１８ａの内側面に締め付けられ、仕切体１８に固定される。
【００６３】
そして、２つの光反射部材３０’が筒状体１０の両側から溝１５に嵌合され、光反射部材３０’の短縁部がＴ字反射部材６７の両端部に当接する。Ｔ字反射部材６７及び光反射部材３０’は、同等の上下幅を有するとともに同材質から構成されており、Ｔ字反射部材６７と光反射部材３０’とが組み合わされて、冷陰極発光体７の光を反射するようになっている。
【００６４】
また、中央に配置されるＴ字反射部材６７の突出部６７ｂが対向する２つの冷陰極発光体７の間に配置されるため、Ｔ字反射部材６７によって屈曲部７ｄの発光も、効率よく反射されるようになっている。仕切体１８に対して冷陰極発光体７を着脱する際に、光反射部材３０の突出部６７ｂを押し上げて取り付けることができ、かつ突出部６７ｂを引っ張ることで冷陰極発光体７を取り外しができるため、４本の冷陰極発光体７の着脱を一度に容易にできるようになっている。
【実施例３】
【００６５】
次に、実施例３に係る照明装置につき、図１３及び図１４を参照して説明する。尚、前記実施例１及び２に示される構成部分と同一構成部分に付いては同一符号を付して重複する説明を省略する。
【００６６】
図１３に示すように、２本の冷陰極発光体７が、各屈曲部７ｄ同士が対向するように直線的に配置され、この直線的に並んだ冷陰極発光体７の端子部７ｂ同士が接続部材６４によって結線される。そして、端子部７ｂの上方から保持体６９が被せられ保持される。このように直線的に連結された２本の冷陰極発光体７が平行に２つ並列して設けられる。
【００６７】
図１４の紙面左側で並列された冷陰極発光体７に示すように、これらの冷陰極発光体７同士が電気的に接続され、実施例３における４本の冷陰極発光体７は電気的に直列に接続される。そして、冷陰極発光体７は導電ユニット５に導線２８，２９を介して接続される。
【００６８】
このため導電ユニット５内のインバータやＰＦＣなどの機器は１個あれば充分であり、この様な簡素なかつ軽量な導電ユニット５を用いて冷陰極発光体７を配置することにより充分な光度を得ることが出来る。
【００６９】
以上、本実施例における照明装置３では、少なくとも２本の冷陰極発光体７が連続的な略線状をなすように配置され、各冷陰極発光体７には、互いに近接される各端子部７ｂ近傍の部位の発光部Ｅが屈曲されて屈曲部７ｄが形成され、この屈曲部７ｄ同士が近接して配置されることで、少なくとも２本の冷陰極発光体７を連続的な略線状をなすように配置して長寸法の照明装置３を製造する際に、各冷陰極発光体７の発光する屈曲部７ｄ同士が近接され、発光斑を生じることを防止し、恰も１本の長寸法の冷陰極発光体７の発光部Ｅに見えるように全体的に均一に発光させることができる。
【００７０】
また、屈曲部７ｄの内角θは、略９０度以下の角度となっていることで、冷陰極発光体７同士を近接させる際に、一方の冷陰極発光体７の屈曲部７ｄを、他方の冷陰極発光体７の屈曲部７ｄに向かって近接させることができ、恰も１本の長寸法の冷陰極発光体７の発光部Ｅに見えるようになる。
【００７１】
また、冷陰極発光体７の発光を外部に向かって反射させる光反射部材３０が冷陰極発光体７の長手方向に沿って設けられ、発光部Ｅの端子部７ｂ近傍の直線部７ｅが光反射部材３０に向かって延び、直線部７ｅが光反射部材３０の反射面に直交された状態で配置されることで、発光部Ｅの端子部７ｂ近傍の直線部７ｅの周囲に光反射部材３０が配置されるようになり、この光反射部材３０により直線部７ｅから発せられた光が外部に向かって反射されるため、この直線部７ｅの発光と屈曲部７ｄの発光とが合わさることで、光反射部材３０で反射される光度を向上させることができる。
【００７２】
また、複数の冷陰極発光体７の屈曲部７ｄ近傍の端子部７ｂが略同一方向を向き、端子部７ｂ同士が結線部６５により結線されることで、非発光の部位である端子部７ｂが屈曲部７ｄにより隠蔽されて見え難くなり照明装置３の見栄えが向上するばかりか、端子部７ｂ同士が結線部６５により結線されて互いに離間不能に固定されるため、冷陰極発光体７の端子部７ｂ同士が互いに固定され、冷陰極発光体７のぐらつきが防止される。
【００７３】
また、端子部７ｂ及び結線部６５が絶縁性を有する保持体６３，６８，６９により被覆されることで、端子部７ｂ及び結線部６５が他の部材に接触されないようにして、冷陰極発光体７の回路の短絡を防止できるばかりか、端子部７ｂ同士が保持体６３，６８，６９により互いに離間不能に固定され、冷陰極発光体７のぐらつきが防止される。
【００７４】
また、冷陰極発光体７は、中空の管状をなす管本体４の内部に配置され、この管本体４の内部空間を仕切る仕切板１８が管本体４の長手方向に延設され、この仕切板１８には、端子部７ｂが挿通される貫通孔１８ａが形成されており、この貫通孔１８ａに、屈曲部７ｄ近傍が保持されることで、貫通孔１８ａに挿通された端子部７ｂが仕切板１８により隠蔽されるとともに、冷陰極発光体７の屈曲部７ｄ近傍が貫通孔１８ａに保持され、冷陰極発光体７のぐらつきが防止される。
【００７５】
尚、管本体４には、冷陰極発光体７の発光を外部に透過する光透過部材９が設けられ、発光部Ｅは、光透過部材９から離れる方向に屈曲されることで、管本体４の光透過部材９を視認した際に、冷陰極発光体７の屈曲部７ｄの屈曲状態が見え難くなり照明装置３の見栄えが向上するばかりか、恰も長寸法の冷陰極発光体７を用いた照明装置３に見えるようになる。
【００７６】
以上、本発明の実施例を図面により説明してきたが、具体的な構成はこれら実施例に限られるものではなく、本発明の要旨を逸脱しない範囲における変更や追加があっても本発明に含まれる。
【００７７】
例えば、前記実施例では、直線状の管本体４に直線状をなす冷陰極発光体７が配置される照明装置３としているが、湾曲状や環状の管本体内に、湾曲した略線状をなす冷陰極発光体を連続的に配置して、非直線形状の照明装置としてもよい。
【００７８】
また、前記実施例１及び２では、保持体６３は、その下端にストッパー６３ａ若しくはフランジ部６８ａを設けた形状としたが、保持体６３を下方に向かって広がるテーパ面を有する形状にして仕切体１８の貫通孔１８ａに挿し込みんだ際に、テーパ面により固定するようにしてもよい。
【００７９】
また、前記実施例１〜３では２本の冷陰極発光体７を保持体６３，６８，６９で固定したものを２つ組み合わせて計４本の冷陰極発光体７を管本体４に設置しているが、本数はこれに限られることなく、例えば、２本の冷陰極発光体７を平行に配置して保持体６３，６８，６９で固定したものを３つ以上直列に組み合わせるなどしてもよい。その際、両端以外の内側に配置される２本の冷陰極発光体７は、両側の端子部７ｂ近傍の発光部Ｅを上方に向けて折り曲げるように形成し、各端子部７ｂ同士を保持体６３，６８，６９で固定する。
【符号の説明】
【００８０】
３                照明装置
４                管本体
７                冷陰極発光体
７ａ              直線部
７ｂ              端子部
７ｃ              リード線
７ｄ              屈曲部
７ｅ              直線部
９                光透過部材
１０              筒状体
１８              仕切体
１８ａ            貫通孔
３０，３０’      光反射部材
６３              保持体
６５              結線部
６７              Ｔ字反射部材
６８              保持体
６９              保持体
Ｅ                発光部
【図１】
2011238356.tif 000003
【図２】
2011238356.tif 000004
【図３】
2011238356.tif 000005
【図４】
2011238356.tif 000006
【図５】
2011238356.tif 000007
【図６】
2011238356.tif 000008
【図７】
2011238356.tif 000009
【図８】
2011238356.tif 000010
【図９】
2011238356.tif 000011
【図１０】
2011238356.tif 000012
【図１１】
2011238356.tif 000013
【図１２】
2011238356.tif 000014
【図１３】
2011238356.tif 000015
【図１４】
2011238356.tif 000016